【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
指示体から送信される信号を受信することで前記指示体による指示位置を検出する位置検出装置に用いられる位置検出センサであって、
導線を巻回して形成される複数のターンからなる少なくとも前記指示体からの信号を受信するための複数のループコイルと、
該複数のループコイルが配置される基板と、を備え、
前記基板には、前記複数のループコイルが少なくとも前記基板の一方向に並べて配置されることにより、前記指示体による指示位置を検出するための位置検出エリア及び該位置検出エリアの外縁と前記基板の外周との間に無効エリアが形成され、
前記複数のループコイルのうち前記一方向の端に位置するループコイルは、その一部が前記無効エリアに位置し、他の部分は前記位置検出エリアに位置するように配置されており、前記複数のループコイルのうちの前記一方向の端に位置するループコイルに近接して配置されたループコイルは、該近接して配置されたループコイルが有する複数のターンのうちの少なくとも１つのターンの一部が、前記一方向の端に位置するループコイルの前記無効エリアに配置された一部と、前記位置検出エリアに配置された部分との間に配置されるようにした、
ことを特徴とする位置検出センサ。
【請求項２】
前記複数のループコイルを形成する前記ターンのそれぞれは、前記一方向に延伸形成された短辺部分と前記一方向に交差する方向に延伸形成された長辺部分とを有し、
前記複数のループコイルのうちの前記一方向の端に位置するループコイルに近接して配置されたループコイルの前記一部は、前記一方向の端に位置するループコイルの長辺部のうち、前記無効エリアに位置する長辺部分に近接するように配置されている、
ことを特徴とする請求項１に記載の位置検出センサ。
【請求項３】
前記複数のループコイルを形成する前記ターンのそれぞれは、前記一方向に延伸形成された短辺部分と前記一方向に交差する方向に延伸形成された長辺部分とを有する矩形状に形成されている、
ことを特徴とする請求項２に記載の位置検出センサ。
【請求項４】
前記一方向の端に位置するループコイルに近接して配置されたループコイルの前記一部は、前記無効エリアに位置するように形成されている、
ことを特徴とする請求項１、２または３に記載の位置検出センサ。
【請求項５】
指示体から送信される信号を受信することで前記指示体による指示位置を検出する位置検出装置であって、
少なくとも前記指示体からの信号を受信するための位置検出センサと、
該位置検出センサにより検出された信号に基づいて前記指示体による指示位置を算出するための位置算出回路と、
を備え、
前記位置検出センサは、導線を巻回して形成される複数のターンからなる少なくとも前記指示体からの信号を受信するための複数のループコイルと、該複数のループコイルが配置される基板と、を備え、前記基板には、前記複数のループコイルが少なくとも前記基板の一方向に並べて配置されることにより、前記指示体による指示位置を検出するための位置検出エリア及び該位置検出エリアの外縁と前記基板の外周との間に無効エリアが形成され、前記複数のループコイルのうち前記一方向の端に位置するループコイルは、その一部が前記無効エリアに位置し、他の部分は前記位置検出エリアに位置するように配置されており、前記複数のループコイルのうちの前記一方向の端に位置するループコイルに近接して配置されたループコイルは、該近接して配置されたループコイルが有する複数のターンのうちの少なくとも１つのターンの一部が、前記一方向の端に位置するループコイルの前記無効エリアに配置された一部と、前記位置検出エリアに配置された部分との間に配置されるようにした、
ことを特徴とする位置検出装置。
【請求項６】
前記複数のループコイルを形成する前記ターンのそれぞれは、前記一方向に延伸形成された短辺部分と前記一方向に交差する方向に延伸形成された長辺部分とを有し、
前記複数のループコイルのうちの前記一方向の端に位置するループコイルに近接して配置されたループコイルの前記一部は、前記一方向の端に位置するループコイルの長辺部のうち、前記無効エリアに位置する長辺部分に近接するように配置されている、
ことを特徴とする請求項５に記載の位置検出装置。
【請求項７】
前記複数のループコイルを形成する前記ターンのそれぞれは、前記一方向に延伸形成された短辺部分と前記一方向に交差する方向に延伸形成された長辺部分とを有する矩形状に形成されている、
ことを特徴とする請求項６に記載の位置検出装置。
【請求項８】
前記一方向の端に位置するループコイルに近接して配置されたループコイルの前記一部は、前記無効エリアに位置するように形成されている、
ことを特徴とする請求項５、６または７に記載の位置検出装置。
【請求項９】
前記位置算出回路は、前記複数のループコイルのうち前記一方向の端に位置するループコイル及び該一方向の端に位置するループコイルに近接するループコイルからの信号に基づいて前記指示体による指示位置を算出するときは、前記一方向の端に位置するループコイル及び該一方向の端に位置するループコイルに近接するループコイル以外のループコイルにより前記指示体による指示位置を算出するときと異なる算出方法により前記指示体による指示位置を算出するようにした、
ことを特徴とする請求項５に記載の位置検出装置。
【請求項１０】
前記位置算出回路は、前記ループコイル及び該一方向の端に位置するループコイルに近接するループコイルにより受信された前記指示体からの信号に基づいて前記指示体による前記指示位置を算出するときは、２点法による位置算出を行い、ループコイル及び該一方向の端に位置するループコイルに近接するループコイルにより受信された前記指示体からの信号に基づいて前記指示位置を算出するときは、３点法による位置算出を行うようにした、
ことを特徴とする請求項９に記載の位置検出装置。
【請求項１１】
表示部を備え、
前記位置検出センサは、前記表示手段に対して積層するように配置される、
ことを特徴とする請求項５に記載の位置検出装置。
【請求項１２】
前記無効エリアは、前記表示手段のベゼルにより覆われる、
ことを特徴とする請求項１１に記載の位置検出装置。
【手続補正２】
【補正対象書類名】明細書
【補正対象項目名】発明の名称
【補正方法】変更
【補正の内容】
【発明の名称】電磁誘導方式の位置検出センサ及び位置検出装置
【手続補正３】
【補正対象書類名】明細書
【補正対象項目名】００１６
【補正方法】変更
【補正の内容】
【００１６】
上記課題を解決するため、請求項１に記載の発明の電磁誘導方式の位置検出センサは、
指示体から送信される信号を受信することで前記指示体による指示位置を検出する位置検出装置に用いられる位置検出センサであって、
導線を巻回して形成される複数のターンからなる少なくとも前記指示体からの信号を受信するための複数のループコイルと、
該複数のループコイルが配置される基板と、を備え、
前記基板には、前記複数のループコイルが少なくとも前記基板の一方向に並べて配置されることにより、前記指示体による指示位置を検出するための位置検出エリア及び該位置検出エリアの外縁と前記基板の外周との間に無効エリアが形成され、
前記複数のループコイルのうち前記一方向の端に位置するループコイルは、その一部が前記無効エリアに位置し、他の部分は前記位置検出エリアに位置するように配置されており、前記複数のループコイルのうちの前記一方向の端に位置するループコイルに近接して配置されたループコイルは、該近接して配置されたループコイルが有する複数のターンのうちの少なくとも１つのターンの一部が、前記一方向の端に位置するループコイルの前記無効エリアに配置された一部と、前記位置検出エリアに配置された部分との間に配置されるようにした、
ことを特徴とする。
【手続補正４】
【補正対象書類名】明細書
【補正対象項目名】０００６
【補正方法】変更
【補正の内容】
【０００６】
なお、電磁誘導方式の位置入力装置は、パーソナルコンピュータなどの外部入力装置として用いられるほか、上述もしたように、タブレット型端末や高機能携帯電話端末の入力デバイスとしても利用されている。この場合、電磁誘導方式の位置入力装置は、ＬＣＤなどからなる表示部に対して積層するように配置され、タブレット型ＰＣや高機能携帯電話端末と一体の構成とされて用いられる。
【手続補正５】
【補正対象書類名】明細書
【補正対象項目名】００１７
【補正方法】変更
【補正の内容】
【００１７】
この請求項１に記載の電磁誘導方式の位置検出センサによれば、複数のループコイルのうち一方向の端に位置するループコイルは、その一部が無効エリアに位置し、他の部分は位置検出エリアに位置するように配置されて、複数のループコイルのうちの一方向の端に位置するループコイルに近接して配置されたループコイルは、該近接して配置されたループコイルが有する複数のターンのうちの少なくとも１つのターンの一部が、一方向の端に位置するループコイルの無効エリアに配置された一部と、位置検出エリアに配置された部分との間に配置される。このようにして、当該Ｎターンのループコイルにおけるペン型位置指示器からの信号の受信信号分布を目的する分布状態にする。
【手続補正６】
【補正対象書類名】明細書
【補正対象項目名】００３４
【補正方法】変更
【補正の内容】
【００３４】
そして、検出された最も信号レベルが高いループコイルの当該信号レベルをVPとし、その両隣のループコイルの信号レベルをVL，VRとすると、ペン型位置指示器１００のＸ軸方向の指示位置を示すＸ座標は、次の（１）式により計算することができる。  
Ｘ ＝ Px + (DX/2)*(VR-VL)/(2*VP-VR-VL)      …（１）  
（１）式において、Pxはピークレベルが検出されたループコイルの座標、DXはＸ軸方向に配列されたループコイルの配列間隔を表している。このように、３点検出法を用いる場合には、信号レベルの最も高いループコイルの信号レベルと、この信号レベルの最も高いループコイルの両隣のループコイルの信号レベルを上記（１）式に代入することによって、ペン型位置指示器１００による指示位置を正確に特定できる。
【手続補正７】
【補正対象書類名】明細書
【補正対象項目名】００７８
【補正方法】変更
【補正の内容】
【００７８】
また、位置検出センサを多層化することにより、無効エリアを小さくすることも考えられる。しかし、位置検出センサを多層化する場合には、厚さが増してしまうので、製品への搭載に影響を及ぼすと共に、コストの面でも高くなる。しかし、この発明を適用することにより、位置検出センサの厚みが増したり、コストが高くなったりすることもない。したがって、タブレット型端末やスマートフォン等のＬＣＤなどからなる表示部を備えると共に、筐体内に位置検出センサを搭載して構成する機器に適用して特に好適な位置検出センサを実現できる。